(57)【要約】【課題】  岩盤浴用床盤について、低コストで優れた機能を発揮するとともに可搬性に優れたものとする。【解決手段】  所定の鉱石を用いて作成した遠赤外線照射体を加熱することにより遠赤外線を照射するものとした岩盤浴用床盤において、表面が不透水性の樹脂成形体からなる基板２Ａと、基板２Ａ上の横臥位置と略一致する部分の複数箇所にその鉱石の粉末を成型・焼成してなる複数のセラミックプレート３１が基板２Ａと表面が略面一となるように貫通配置されてなる遠赤外線照射部と、基板２Ａの下面側で発熱フィルム２１およびアルミ板２２が少なくとも総てのセラミックプレート３１下面に密着または近接するように配置されてなる加熱部とを備えており、発熱フィルム２１に通電することでセラミックプレート３１が加熱されて遠赤外線を照射するものとした。【選択図】      図２
0003116017.tif 000002
【実用新案登録請求の範囲】
【請求項１】
所定の鉱石を用いて作成した遠赤外線照射体を加熱することにより横臥した使用者に遠赤外線を照射するものとした岩盤浴用床盤において、
表面が不透水性の樹脂成形体からなる基板と、該基板上の横臥位置と略一致する部分の複数箇所に前記鉱石の粉末を成型・焼成してなる複数のセラミックプレートが前記基板と表面が略面一となるように貫通配置されてなる遠赤外線照射部と、前記基板の下面側で面状の加熱手段および金属製の熱伝導板が少なくとも総ての前記セラミックプレートの下面に密着または近接して配置されてなる加熱部と、を備えており、
前記加熱手段が発熱することにより前記セラミックプレートが加熱されて遠赤外線を照射する、
ことを特徴とする岩盤浴用床盤。
【請求項２】
前記セラミックプレートは、貴陽石の粉末を成型・固化してなるとともに表面にガラス皮膜を有している、ことを特徴とする請求項１に記載した岩盤浴用床盤。
【請求項３】
前記加熱手段は、シート状の導電性発熱体からなり、通電することで発熱して前記セラミックプレートを加熱することを特徴とする、請求項１または２に記載した岩盤浴用床盤。
【請求項４】
前記加熱手段は、温水パイプを同一平面上で屈曲して全体として面状とされたものからなり、温水を循環させることで発熱して前記セラミックプレートを加熱することを特徴とする、請求項１または２に記載した岩盤浴用床盤。
【請求項５】
前記樹脂成形体は、ＦＲＰまたは人造大理石である、ことを特徴とする請求項１，２，３または４に記載した岩盤浴用床盤。
【請求項６】
前記基板は、前記遠赤外線照射部を除く表面が前記鉱石の粉末を混入した塗料でコーティングされたものであり、加熱されることで前記表面から遠赤外線を照射するものとされている、ことを特徴とする請求項１，２，３，４または５に記載した岩盤浴用床盤。
【請求項７】
予め一体として作成され岩盤浴施設に搬送して設置するだけで使用可能とされているとともに、設置後に一体として取り外し可能とされている、ことを特徴とする請求項１，２，３，４，５または６に記載した岩盤浴用床盤。
【考案の詳細な説明】
【技術分野】
【０００１】
本考案は、岩盤浴施設において横臥した使用者に遠赤外線を照射するための床盤に関し、殊に、完成品を運搬して設置するだけで使用を開始することのできる可搬式の岩盤浴用床盤に関する。  
【背景技術】
【０００２】
近年、加熱することにより遠赤外線を多量に発生するブラックシリカ等の遠赤外線放射性鉱石を床盤の遠赤外線照射部に用い、利用者がこれに横臥することで服を着たままでも遠赤外線効果でサウナ入浴と同様の効果が得られるようにした岩盤浴施設が普及している。
【０００３】
斯かる岩盤浴施設に設けられる床盤は、実登３１００５９２号広報に記載されているように土間コンクリート上にモルタルで固めた基板を設け、これに上述の鉱石からなるプレートを部分的に敷設して遠赤外線照射部とするか、実登３１０７６６７号広報に記載されているように上述の鉱石の粉末を混練したモルタルで床盤を形成して全体を遠赤外線照射部として、これら遠赤外線照射部の下方に加熱部を配設してなるものが一般的である。
【０００４】
しかし、これらの岩盤浴用床盤の配設は基本的に現地施工であり、施工に手間がかかることに加えモルタルが完全に固化するまでに長時間を要するため、施工期間の長期化を招く点が問題となっている。また、工場などで予め遠赤外線照射部を備えた床盤を作成して岩盤浴施設に搬入・設置する場合でも、比重の重いモルタル製の床盤が所定の厚さおよび面積を有することから、運搬・設置が容易ではないとともに運搬中に破損しやすい点が問題となるため、可搬性において不便なものである。また、斯かる所定の厚さを有する床盤は、適温になるまでに長時間を要しエネルギーコストが嵩みやすいという欠点も有している。
【０００５】
さらに、モルタル製の基板およびモルタルに鉱石粉末を混練してなる遠赤外線照射部は、多孔質で吸水性が高いことから使用者の汗が浸透しやすく、高温・多湿の岩盤浴施設特有の環境と相俟って、細菌の温床となりやすいため悪臭の発生が大きな問題となっている。
【０００６】
この問題に対し、実登３１０４７８７号公報には、軽量ＦＲＰ（fiberglass reinforced plastics：繊維強化プラスティック）層の上に木質部材層、ヒータ層、及び鉱石含有ＦＲＰ層からなる岩盤浴用床盤を備えた岩盤浴用装置が提案されている。これにより、比較的軽量とされた岩盤浴用装置は搬入・設置が容易となるとともに、ＦＲＰにより吸水性を低いものとして悪臭軽減能に優れたものとされている。
【０００７】
しかしながら、この装置に用いる床盤は二つのＦＲＰ層を有して製造コストが嵩むことに加え、ＦＲＰの強度・耐久性を維持する必要から含有する鉱石量が限られているため、岩盤浴装置本来の遠赤外線照射機能が充分に発揮されない、という問題がある。
【特許文献１】実登３１００５９２号公報
【特許文献２】実登３１０７６６７号公報
【特許文献３】実登３１０４７８７号公報
【考案の開示】
【考案が解決しようとする課題】
【０００８】
本考案は、上記のような問題点を解決しようとするものであり、岩盤浴用床盤について、低コストで優れた機能性を発揮するとともに可搬性に優れたものとすることを課題とする。
【課題を解決するための手段】
【０００９】
そこで、本考案は、所定の鉱石を用いて作成した遠赤外線照射体を加熱することにより横臥した使用者に遠赤外線を照射するものとした岩盤浴用床盤において、表面が不透水性の樹脂成形体からなる基板と、その基板上の横臥位置と略一致する部分の複数箇所にその鉱石の粉末を成型・焼成してなる複数のセラミックプレートが、基板と表面が略面一となるように貫通配置されてなる遠赤外線照射部と、この基板の下面側で面状の加熱手段および金属製の熱伝導板が少なくとも総てのセラミックプレートの下面に密着または近接して配置されてなる加熱部と、を備えており、加熱手段が発熱することによりセラミックプレートが加熱されて遠赤外線を照射するものとした。
【００１０】
このように、熱することで遠赤外線を多量に発生する鉱石を粉末化して成型・焼成してなるセラミックプレートを、基板における人体の横臥位置に一致するように部分的に配設したことで、遠赤外線を照射するための遠赤外線照射部の全体重量を軽減して可搬性に優れたものとするとともに、加熱手段の作動後に短時間で所定の温度まで昇温するものとなる。そして、このセラミックプレートはモルタルで鉱石を固化したものよりも吸水性が低いことから、悪臭の発生を軽減させることができ、これに加えて表面が不透水性の樹脂成形体を基板に用いたことで、モルタルの基板と比べて軽量であるとともにこの部分における悪臭の発生を軽減することができる。
【００１１】
また、このセラミックプレートは、貴陽石の粉末を成型・固化してなるとともに表面にガラス皮膜を設けたものとすれば、遠赤外線照射部が完全に吸水しないものとなって悪臭の発生を一層有効に抑えることができる。
【００１２】
さらに、上述した岩盤浴用床盤において、加熱手段をシート状の導電性発熱体からなるものとし、通電することで発熱してセラミックプレートを加熱するものとすれば、岩盤浴用床盤の薄型化・軽量化が容易となり、或いは、加熱手段を温水パイプを同一平面上で屈曲して全体として面状とされたものからなり温水を循環させることで発熱してセラミックプレートを加熱するものとすれば、低コストで温度のコントロールが容易なものとなる。
【００１３】
さらにまた、上述した岩盤浴用床盤において、樹脂成形体がＦＲＰまたは人造大理石とすれば、基板の強度を確保しながら軽量化が容易なものとなり、一層可搬性に優れたものとすることができる。そして、基板が遠赤外線照射部を除く表面に前述の鉱石粉末を混入した塗料でコーティングされたものとして、加熱されることでこの表面部分も遠赤外線を照射するものとすれば、重量や製造コストの大幅な増加を招くことなく悪臭防止および遠赤外線照射の機能をさらに増大させることができる。
【００１４】
加えて、上述した岩盤浴用床盤を、予め一体として作成され岩盤浴施設に搬送して設置するだけで使用可能なものとするとともに、設置後に一体として取り外し可能としたものとすれば、現場における施工期間の短縮化および施工コストの低廉化を一層実現しやすいものとなる。
【考案の効果】
【００１５】
遠赤外線を多量に発生する鉱石をセラミックプレートに成型して遠赤外線照射部とし表面が不透水性の樹脂成形体表面に部分的に配設した本考案によると、低コストで優れた遠赤外線機能を発揮しながら悪臭の発生を有効に回避することができ、また、可搬性に優れて施工期間を短縮することができる。
【考案を実施するための最良の形態】
【００１６】
以下に、図面を参照して本考案を実施するための最良の形態を説明する。
【００１７】
図１は本考案における第一の実施の形態である岩盤浴用床盤１Ａの平面図を示しており、表面が不透水性の樹脂成形体からなる基板２Ａ上において、人が横臥する部分に略一致するようにセラミックプレート３１が複数配置され、その側端面を枠体４で囲われて一体とされた平板状の部材であって、図中上側が頭側で下側が足側となるものであり、岩盤浴施設において床に直接設置または所定高さの載置台の上に載置されて使用されるものである。
【００１８】
図１のＸ−Ｘ線に沿う断面図の足側の拡大部分図を示す図２を参照して、岩盤浴用床盤１Ａの詳細な構成を説明する。岩盤浴用床盤１Ａの最下部には、耐水性合板等からなる比較的堅牢な支持板７が、側端部を枠体４の内側面に設けられた溝に嵌入されて設置時に下面側に隙間を有するように設けられている。
【００１９】
支持板７の上方には、長尺の角材５が平面視格子状に配置されて枠体４および支持板７にビス留め等で固定されて岩盤浴用床盤１Ａ全体として堅固なものとされており、その角材５，５の各間に硬質ウレタンフォーム等からなる断熱材６が複数配設され、下方向に熱が逃げにくい構造となっている。
【００２０】
また、この断熱材６の上方に、平面視長方形の基板２Ａとほぼ同形の導電性発熱体としての発熱フィルム２１および熱伝導板としてのアルミ板２２が重ねられて配置されており、発熱フィルム２１に電気的に接続された図示しないコントローラとで加熱部を構成している。尚、発熱フィルム２１としては、半導体カーボン等を発熱体として用いた市販の発熱フィルムを所定形状にして用いることができる。また、アルミ板２２は発熱フィルム２１により発生した熱を均一にして上方に伝えるために配置されたものである。
【００２１】
そして、アルミ板２２の上方には樹脂成形体からなる基板２Ａが、例えばモルタル板などからなるスペーサ２３が下面側に介装されて配置されており、図１の平面図に示すように人が横臥する位置に一致するように複数のセラミックプレート３１が基板２Ａを貫通して配置され遠赤外線照射部を構成している。また、図２の断面図に示すように、セラミックプレート３１はその表面が基板２Ａ表面とほぼ面一で底面がアルミ板２２上面に密着している。尚、スペーサ２３はアルミ板２２に所定の接着剤で接着されて加熱されるようになっているが、これを形成するモルタルにセラミックプレート３１に用いる遠赤外線照射性鉱石の粉末を混入しておくことで、基板２Ａ部分からも遠赤外線照射を行うものとすることができる。
【００２２】
また、基板２Ａと枠体４との隙間および基板２Ａとセラミックプレート３１との隙間は、コーキング９で充填されて内部の防水性を確保している。また、セラミックプレート３１はコーキング９を外すことで基板２Ａから取り外せるようになっており、メンテナンスを容易としている。
【００２３】
基板２Ａは、例えば天然石をアクリル系樹脂等に混入して成型固化してなる人造大理石などの樹脂成形体からなるものとすれば、比較的軽量で強度に優れているため、図２に示すように薄くても堅固なものとなって岩盤浴用床盤１Ａの剛性および可搬性を高いものとすることができ、しかも表面処理をしなくとも不透水性の素材であるため、汗などの水分を吸水して悪臭を発生する心配が殆どないものである。
【００２４】
セラミックプレート３１は、所定の遠赤外線放射性鉱石を粉末化したものをタイル状に成型・焼成して作成したセラミック部材であるが、用いる鉱石としては、遠赤外線放射率の点および焼成後の耐久性の高さ・吸水性の低さの観点から貴陽石が推奨される。
【００２５】
尚、貴陽石には赤原石と白原石とがあり、これらの粉末のほぼ同量をミックスして１２００℃の高温でタイル状に焼成することで、遠赤外線放射率に優れることに加え、優れたマイナスイオン生成能力、活性酸素消去能力を備えたものとなり、岩盤浴用床盤の遠赤外線照射部として最適なものとなる。また、斯かるセラミックプレート３１は、モルタルよりも吸水性の低いものであるが、表面に上薬を塗ってから焼成することで表面にガラス被膜が形成され、吸水性がほぼゼロになって悪臭防止能に一層優れたものとなる。
【００２６】
また、斯かる岩盤浴用床盤１Ａは予め工場等で一体として製作することで、岩盤浴施設に搬入・設置するだけですぐに使用できるものとなる。また、その使用時には、電源に接続された図示しないコントローラを操作する等して、加熱部の発熱フィルム２１に通電して発熱させ、熱がアルミ板２２で均一に伝導されながらその上面に下面を密着したセラミックプレート３１に効率的に伝導されて短時間で充分な温度とすることができる。
【００２７】
そして、加熱されたセラミックプレート３１は多量の遠赤外線を放射するものであり、主として使用者が横臥した上方向に照射される。また、使用者の汗が基板２Ａ上面に落ちても、これがセラミックプレート３１やこれを除く基板２Ａ表面部分から吸水されることが殆どないため、細菌の繁殖等による悪臭の発生が回避され、使用後に払拭するだけで容易に清潔さを確保できる。
【００２８】
図３は、本考案における第二の実施の形態である岩盤浴用床盤１Ｂを示す平面図であり、図１の岩盤浴用床盤１Ａの基板２ＡをＦＲＰ製の基板２Ｂとし、基板２Ｂにおけるセラミックプレート３１を除く部分の表面総てに上述の遠赤外線放射性鉱石の粉末を混入した塗料でコーティングするとともに、セラミックプレート３１とほぼ同様の工程で作成した複数のセラミックボール３２の一部が表面に露出するように所定間隔で埋め込んでなるものである。
【００２９】
図３のＹ−Ｙ線に沿う断面図の足側の拡大部分図を示す図４を参照して、基板２ＢはＦＲＰ製であるが、その上面に、塗料に貴陽石等の鉱石粉末を混入した塗料をコーティングしたことで、加温により塗装２５中の鉱石粉末が遠赤外線を放射するようになっている。また、所定間隔で埋め込まれたセラミックボール３２も同様に遠赤外線を照射するため、遠赤外線効果に一層優れたものである。尚、この塗料を不透水性の塗料とすれば、不透水性被膜を形成することで一層悪臭が発生しにくくなる。
【００３０】
このように、岩盤浴用床盤１Ｂは前述した岩盤浴用床盤１Ａの機能に加えて、基板２Ｂ表面の総てに遠赤外線照射機能を加えるとともにセラミックボール３２による遠赤外線照射機能を追加しており、斯かる追加に伴うコストアップは僅かでありながら更に機能性を高めることができるものである。
【００３１】
尚、図５に示すように、加熱部の発熱フィルム２１を配置する代わりに、温水パイプ４０を同一平面上で屈曲させて全体として面状としたものをアルミ板２４に設けた溝に収装するように配置して、図示しない所定のヒータ部およびポンプ部により温水パイプ４０の中を温水が循環するようにした岩盤浴用床盤１Ｃとしてもよく、このようにすることで、比較的低コストで温度コントロールが容易なものとなる。
【図面の簡単な説明】
【００３２】
【図１】本考案における第一の実施の形態の平面図。
【図２】図１のＸ−Ｘ線に沿う断面図における拡大部分図。
【図３】本考案における第二の実施の形態の平面図。
【図４】図１のＹ−Ｙ線に沿う断面図における拡大部分図。
【図５】図４の実施の形態において、発熱フィルムの代わりに温水パイプを配置した場合を示す拡大部分図。
【符号の説明】
【００３３】
１Ａ，１Ｂ  岩盤浴用床盤、２Ａ，２Ｂ  基板、４  枠体、５  角材、６  断熱材、７  支持板、９  コーキング、２１  発熱フィルム、２２，２４  アルミ板、２３  接着剤、２５  塗装、３１  セラミックプレート、３２  セラミックボール、４０  温水パイプ  
【図１】
0003116017.tif 000003
【図２】
0003116017.tif 000004
【図３】
0003116017.tif 000005
【図４】
0003116017.tif 000006
【図５】
0003116017.tif 000007